(57)【要約】      （修正有）【課題】締め付け作用を伴うことなくズレ落ちを防止できるアームカバーを提供する。【解決手段】筒状本体２が手首から肘まであるアームカバー４であって、手首部とは反対の端部に帯状をなすベルト芯３を内設することにより、ズレ落ちを防止する。帯状をなすベルト芯は外圧により形状が変化し難いものであり、１本または複数本からなるのが好ましい。【選択図】図１
0003193672.tif 000002
【実用新案登録請求の範囲】
【請求項１】
手首部を有する筒状本体と該筒状本体の手首部にはゴム紐が内設され反対の端部には帯状をなすベルト芯が内設された構造であるアームカバー。
【請求項２】
前記帯状をなすベルト芯は外圧により形状が変化し難いものであり、１本または複数本からなる請求項１記載のアームカバー。
【請求項３】
前記筒状本体が手首から肘までの長さである事を特長とする請求項１記載のアームカバー。
【考案の詳細な説明】
【技術分野】
【０００１】  本考案は主に、事務職員が事務作業を行うにあたり、機能的に作業を行うように腕に装着するアームカバーに関する。
【背景技術】
【０００２】  従来、アームカバーは農作業や塗装作業といった屋外作業、機械作業、事務作業等をする際に装着され、手首から肘までの汚れ防止、日焼け防止、防寒等の目的で、また、事務作業においては旧態依然のままの目的、つまり昔教職員がガリ版印刷作業時のインク付着や黒板使用時のチョーク粉による衣服の汚れ防止、役所関係等でも同様の目的使用を対象としたままのものとなっている。昨今は、それをカラフルな色彩や花柄、ストライプ、チェック模様等に変えたにすぎず女性向けの柄が多数を占めており、ファッション性を追求し女性が使用することを優先した製品になっている。男性が着用することはあまり想定されておらず使用者が限定された製品になっていることは否めないが、懸念されている袖口の汚れ防止、ウールカーデガン等を着用して作業を行うと、机上の物との摩擦が生じてできる毛玉発生を防ぐ目的で装着されている。【０００３】  アームカバーについての改良もなされ、例えば特許文献１では作業用アームカバーに伸縮性の良い素材ニット、トリコット等を設け肘部にタックあるいはダーツあるいはいせこみを入れ、筒状に形成することにより腕の屈伸が容易であり腕部にフィットするアームカバーが知られている。【０００４】  また特許文献２では筒状本体の上腕部をやや広くとり、この上腕部には幅約３ｃｍ以上の幅広ゴム紐を内設し、また、この上腕部より袖口部にかけてやや細くなる勾配で、手首にきっちりと合致するアームカバーにおいて、前記の袖口部の先端付近に開口部を設け、この開口部の縫い止り部に襠を設けたアームカバーが知られている。
【先行技術文献】
【特許文献】
【０００５】
【特許文献１】特開平９−２９１４０５
【特許文献２】実開平６−６９２１７
【考案の概要】
【考案が解決しようとする課題】
【０００６】  前記のアームカバーの構造の一つでは、肘部にタックあるいはダーツあるいはいせこみを入れ、腕部にフィットされている。また、別のアームカバーの構造の一つでは、上腕部に幅広ゴム紐を内設し、腕部にフィットされている。【０００７】  上述のようにアームカバーの上腕部分は先行技術文献をはじめ、一般に市販されている製品はゴム紐を使用する等、上腕部を締め付けることによりアームカバーのズレ落ちを防止することを可能とし、従って農作業や塗装作業といった屋外作業では好適な作用をもたらしている。【０００８】  しかしながら、事務作業において上述のアームカバーを装着すると長時間作業を行うことにより、アームカバーの上腕部にあたる衣服の部位には、ゴム紐等による締め付けに伴い衣服にシワがついてしまい、アームカバーを外した後もシワが残ってしまうという問題が生じる。また冬季において事務職員が分厚い布地の衣服を着用して事務作業を行う場合、アームカバーのゴム紐等による締め付けにより、腕に圧迫感を感じたり、腕が痛くなるという問題が生じる。また、肘より上の上腕部で締め付けを行っているため、不意の来客時に素早く脱ぐことができないという問題が生じていた。本考案の目的はアームカバーのズレ落ちを防止するための方法として、締め付けることのないアームカバーを提供することにある。【０００９】
【課題を解決するための手段】
【００１０】  本考案の考案者は事務作業を行うにあたり、アームカバーの構造は手首から上腕までの範囲は必要ではなく、手首から肘までの範囲であれば良いことに着目し、前記目的を達成するために次のような技術手段を講じた。即ち、本考案の考案者はアームカバーの筒状本体が手首から肘までのアームカバーであって、手首部とは反対の端部（以下、「開口部」と言う）には帯状をなすベルト芯を内設することにより、ズレ落ちが防止できることを見出した。前記帯状をなすベルト芯とは、腕に装着した際にフィット感が有り、ごわごわしない堅さを有する芯であり、例えば市販のベルト芯、洋服地の内側に型崩れ防止に貼る接着芯、スカートのベルト部分に使用する芯、カーテンの裾やフック部分に用いる芯であり、形状が帯状のものが好適である。【００１１】  上述のように開口部に帯状をなすベルト芯を内設することにより、アームカバー上部分の強度が増しアームカバーの長手方向において縮みが生じることがなく、従ってズレ落ちることがない構造を得ることができる。すなわち、開口部に厚みが出来ることにより重量が生じ、その位置をキープすることができる。【００１２】  ここで、本考案の筒状本体の素材は市販のアームカバーと同様の素材でよく、また、防水性のある素材等を採用することもできる。また、アームカバーの手首部は従来通りゴム紐を内設する構造を採用することができる。【００１３】  ここで、本考案の開口部に内設する帯状をなすベルト芯は市販のベルト芯、洋服地の内側に型崩れ防止に貼る接着芯、スカートのベルト部分に使用する芯、カーテンの裾やフック部分に用いる芯を採用することができる。前記の帯状をなすベルト芯は外圧により形状が変化し難い肉厚を持っているものが好ましい。また前記の帯状をなすベルト芯の材質を選定することにより、外圧により形状が変化し難いものとすることも好ましい。帯状をなすベルト芯は１本でもよく、また、複数本を使用してもよい。
【考案の効果】
【００１４】  以上の説明から明らかなように、本考案のアームカバーにあっては次に列挙する効果が得られる。
（１）事務職員が長時間装着する際に問題となっている腕への圧迫感が解消される。
（２）衣服への締め付けがないので、シワが入らない。
（３）装着することにより、衣服の袖口の汚れを防ぐことができる。
（４）従来と比較して手首に近い箇所だけを覆うので第三者が見ても違和感が少ない。
（５）すぐに着脱可能なので不意の来客時等、素早く脱ぐことができる。
（６）洗濯してもベルト芯等で構成されているので型崩れしないため、従来のアームカバー同様洗濯が可能である。
【図面の簡単な説明】
【００１５】
【図１】本考案に係るアームカバーの全体図である。
【図２】アームカバーの使用状態を模式的に示した図である。
【考案を実施するための形態】
【００１６】  以下、本考案の実施の形態を図に基づいて説明する。
【００１７】  筒状本体（２）の長手方向のサイズは手首から肘までに構成されている。筒状本体（２）の端部には手首部（１）と開口部（３）が構成されている。手首部（１）にはゴム紐が内設されており、汚れ侵入等の効果をもたらす。開口部（３）には帯状をなすベルト芯が１本または複数本内設されている。開口部（３）には帯状をなすベルト芯が内設されていることで、アームカバー上部分の強度が増しアームカバーの長手方向において縮みが生じることがなく、従ってズレ落ちることがない構造を得ることができる。すなわち、開口部に厚みができることにより重量が生じ、その位置をキープすることができる。
【００１８】  開口部に内設するズレ落ち防止の為のベルト芯等は、幅２ｃｍ〜４ｃｍ程度、素材は洗濯で型崩れしにくいナイロン系統のものが好適である。
【００１９】  筒状本体は木綿、ブロード、サッカーのものであれば適度な堅さであり腕に馴染みやすいため好適である。また、筒状本体は腕周りプラス９ｃｍ〜１２ｃｍ程度が好ましい。前記の腕周りに設計すると厚地の服、セーターやスーツを着用した人にも対応できる。
【００２０】  本考案のアームカバーは、筒状本体が手首から肘までのアームカバーであって、手首部とは反対の端部に帯状をなすベルト芯を内設することにより、ズレ落ちが防止できることを特徴とし、腕を用いる作業に有効であることから多分野にわたり利用されるものである。
すなわち、事務職員全般（会社員、教職員、公務員、図書館司書等）に利用することができる。
【符号の説明】１      手首部
２      筒状本体
３      開口部
４      アームカバー
【図１】
0003193672.tif 000003
【図２】
0003193672.tif 000004